(57)【特許請求の範囲】
【請求項１】
建築用下地材に固定される受け縁材と、パネル材の端縁を覆いかつ該受け縁材に嵌着される額縁材とを有する建築用廻り縁構造において、
受け縁材が、建築用下地材に止着される取付部と、該取付部に一体成形される対の離間した脚部とを有し、少なくとも一つの脚部がその内壁部に第１の支持部を有し、
額縁材が、額縁部と、該額縁部に一体成形されかつ一方の該脚部に沿う長寸の係止部と、額縁部に一体成形されかつ長寸の係止部とは離間して配される短寸の係止部とを有し、額縁材の両係止部が受け縁材の両脚部間に嵌着されたとき両係止部が両脚部に弾力的に係止され、
額縁材の短寸の係止部には受け縁材の短寸の脚部の自由端に当接自在な受け部を有し、
額縁材の額縁部の一側に係止部と平行しパネル面に交差する方向に延在する遮へい部を有する、
ことを特徴とする建築用廻り縁構造。
【請求項２】
受け縁材の一方の脚部が他方の脚部より長寸であり、少なくとも一つの脚部の内壁部に第２の支持部を有する請求項１記載の建築用廻り縁構
造。
【請求項３】
受け縁材の少なくとも一つの脚部はその内壁部に第１の支持部とは離間した第２の支持部を有し、該第１の支持部を脚部の先端側に配し、第２の支持部は脚部の根元側に配される請求項１記載の建築用廻り縁構造。
【請求項４】
額縁材が受け縁材に嵌着されるとき、長寸の係止部が該受け縁材の長寸の脚部の内壁部に沿い重合し、かつ短寸の係止部が受け縁材の短寸の脚部の第１の支持部に弾力的に係止される請求項２記載の建築用廻り縁構造。
【請求項５】
受け縁材の一方の脚部の内壁部に第１の支持部とは離間した第２の支持部を有し、第２の支持部に額縁材の長寸の係止部が近接状態又は当接状態に装入される請求項１記載の建築用廻り縁構造。
【請求項６】
受け縁材の短寸の脚部と取付部との結合部分であって、短寸の脚部の内壁部に薄肉の溝部を有する請求項２記載の建築用廻り縁構造。
【請求項７】
額縁材の長寸の係止部の先端部は断面略逆Ｕ字・矢ジリ・Ｌ字・Ｃ字等の屈折部であり、該屈折部が第２の支持部に対設される請求項１記載の建築用廻り縁構造。
【請求項８】
受け縁材の取付部の内壁部にパネル材の端縁の位置決めをする目盛り部を設けている請求項１記載の建築用廻り縁構造。
【請求項９】
受け縁材の長寸の脚部が、建屋の壁面側に配置されかつ壁面に沿う請求項２記載の建築用廻り縁構造。
【請求項１０】
額縁材の短寸の係止部が、受け縁材の長寸の脚部に重合し、長寸の係止部が短寸の脚部に重合状に沿うよう係止される請求項１記載の建築用廻り縁構造。
【請求項１１】
長寸の係止部と短寸の係止部とを一体に成形し、中空部を設けている請求項１記載の建築用廻り縁構造。
【請求項１２】
受け縁材の対の脚部が取付部の中央部より延在し、かつ対の係止部が額縁部の中央部に配されている請求項１記載の建築用廻り縁構造。
【請求項１３】
額縁材の短寸の係止部には受け縁材の脚部の第１の支持部に係合自在な第３の支持部を有する請求項１記載の建築用廻り縁構造。
【発明の詳細な説明】
【０００１】
【発明の属する技術分野】
本発明は、建屋の天井や壁面に張設したパネル材等の端縁を遮へいする建築用廻り縁構造に関する。
【０００２】
【従来の技術】
天井周辺部等を遮へいする廻り縁構造は、特開平１０−１２１７１２号公報に開示される如く、建築分野で広く使用されている。
該公報に開示される廻り縁構造は、野縁等の建築用下地材にビス止めされる固定片、固定片に一体に成形されかつ固定片から垂下する垂直片および保持片からなる受け部材と、保持片に係止される弾性部材と、該弾性部材と垂直片との間に挿入される起立片を有する断面Ｔ字状の額縁材（カバー部材）とからなるものである。
【０００３】
下地材に受け部材の固定片をビス止めした後、パネル材を下地材に固定させ、パネル材の端縁を受け部材の垂直片に対向させる。固定片にはバネ特性を備える弾性部材を取り付けておき、この弾性部材と垂直片との間に、弾性部材を弾性変形させるようにして、断面逆Ｔ字状の額縁材の起立片を挿入し、パネル材の端縁を額縁材で遮へいさせる。
【０００４】
【発明が解決しようとする課題】
前述した如く、従来の廻り縁構造は、額縁材の起立片を、予め下地材にビス止めした受け部材の垂直片と弾性部材間に嵌合させれば良いものであるから、装着施工は容易である。
しかし、弾性部材の別仕様は、部品点数の増加、施工工数の増大をもたらし、製作性及びコスト面で改善が望まれている。又、弾性部材の脱落は、額縁材の落下の原因にもなりかねないので改善が望まれている。
【０００５】
それ故に、本発明は、前述した従来例の不具合を解消させることを解決すべき課題とする。
【０００６】
【課題を解決するための手段】
本発明は、前述した課題を解決するために、基本的には、建築用下地材に止着される受け縁材に嵌合される額縁材が長寸の係止部と、短寸の係止部とを有する構成とさせる技術的手段を用いる。
【０００７】
具体的には、本発明は、建築用下地材に固定される受け縁材と、パネル材の端縁を覆いかつ該受け縁材に嵌着される額縁材とを有する建築用廻り縁構造において、受け縁材が、建築用下地材に止着される取付部と、該取付部に一体成形される対の離間した脚部とを有し、少なくとも一つの脚部がその内壁部に第１の支持部を有し、額縁材が、額縁部と、該額縁部に一体成形されかつ一方の該脚部に沿う長寸の係止部と、額縁部に一体成形されかつ長寸の係止部とは離間して配される短寸の係止部とを有し、額縁材の両係止部が受け縁材の両脚部間に嵌着されたとき両係止部が両脚部に弾力的に係止され、額縁材の短寸の係止部には受け縁材の短寸の脚部の自由端に当接自在な受け部を有し、額縁材の額縁部の一側に係止部と平行しパネル面に交差する方向に延在する遮へい部を有する、ことを特徴とする建築用廻り縁構造を提供する。
【０００８】
【発明の実施の形態】
図１を参照する。本発明を構成する受け縁材１は、建築用下地材にビス止めされる取付縁２と、取付縁２と一体に成形されかつ離間して配される対の脚部３，４とからなる。取付縁２の裏面にパネル材の位置決めのために用いられる溝状の複数の離間した目盛り部５を設ける。
第１の脚部３の先端側に内方へ膨らみかつ段部を有するフック状の第１の支持部６を設け、第１の脚部３の取付部２との結合部である根元部の内壁面に円弧状の薄肉部７と、薄肉部７につづく肉厚の第２の支持部８を形成する。薄肉部７は第１の脚部３の弾性変形を可能にする。
第１の脚部３より第２の脚部４を長寸とする。
【０００９】
図２を参照する。額縁材９は、水平な額縁部１０と、該額縁部１０の一側部より上方に延在する長寸の係止部１１と、長寸の係止部１１とは離間して配される短寸の係止部１２と、額縁部の他側部より上方に折曲延出する遮へい部１３を有す。
長寸の係止部１１の先端には断面略Ｕ字状、矢ジリ、Ｌ字、Ｃ字状等の屈折部１４を配し、屈折部１４は第２の支持部８と対設し、長寸の係止部１１を、第２の脚部４に面状態に当接しながら弾力的に圧接させる。
【００１０】
短寸の係止部１２の先端にフック状の第３の支持部１５を設け、その下方に側外方に延出する受け部１６を設ける。第３の支持部１５は長寸の係止部１１側にやや倒れる形となっており、第１の支持部６に対し、弾力的に係合させる。即ち、長寸の係止部１１の外壁面と第３の支持部１５の外向き側の面との間の寸法は、第１と第２の脚部３，４の内壁面間とほぼ同寸法となっており、取付時、脚部３の第１の支持部６の突部に第３の支持部１５の突部が当接し、一方を変形させながら、第３の支持部１５の突部を第１の支持部６の上方へと移動させ、両支持部６，１５を係合関係とさせる寸法となっている。
受け部１６は、第１の脚部３の先端に対向又は当接し、遮へい部１３がパネル材との間の隙間を隠す働きをする。
【００１１】
図３に、受け縁材１に額縁材９を嵌合させた状態を示す。同図から明らかなように、対の脚部３，４間に両係止部１１，１２を嵌合させ、さらに、第１と第３の支持部６，１５を弾力的に係合させ、第２の支持部８および／又は第１の支持部６とにより長寸の係止部１１を第２の脚部４に面状態に圧接させることで、額縁材９を受け縁１に傾きがなくかつ強固に支持させる。
【００１２】
図４に、本発明による建築用廻り縁構造の施工例を示す。ハンガー１７に吊り下げられた野縁受け１８に下地材としての野縁１９に、受け縁１の取付部２をビス２０を用いて固定させる。
目盛り部５にその端縁を合わせてスパンドレルの如きパネル材２１を配し、パネル材２１の一側を遮へい部１３に乗せて他側をビス２２で下地材１９に固定させる。パネル材２１を下地材１９に固定した後、額縁材９を受け縁１に、前述した手法により、嵌着させる。
【００１３】
図５に示す例は、下地材１９の長手方向に対して、パネル材２１を直交させたもので、取付部２を介してビス２０を用いて下地材１９に固定させ、パネル材２１を、取付部２を介してビス２２を用いて、下地材１９に固定させている。額縁材９の取付は図４の例と同じであるので、その説明は省略する。
【００１４】
図６に示した例は、額縁材９′の長寸の係止部１１′を内方に配し、この長寸の係止部１１′に受け部１６′と、第３の支持部１５′と、屈折部１４′を設けたものである。短寸の係止部１２′を第２の脚部４に対接させる。第１の脚部３が長寸の係止部１１′と弾力的に係合される。
【００１５】
図７に示す額縁材９″は、長寸の係止部と短寸の係止部とを一体にし、中空とさせた例であり、支持部６，１５、受け部１６、遮へい部１３の配置は図１と図２に示す例と同じである。
【００１６】
図８に示す施工例は、受け縁材１の両脚部３，４を取付部２の中央部より垂下させ、額縁材９の長寸の係止部１１と短寸の係止部１２とを額縁部１０の中央部より起立させたものである。
図８に示す例は、向かい合うパネル材２１，２１の端縁の納まりのために用いたものである。なお、図１の薄肉部７は、図２〜図８にも同様に形成されて第１の脚部３の弾性変形をより促進している。
【００１７】
図９に示す受け縁材１０１は、目盛り部１０５をその裏面に設けた取付部１０２と、該取付部１０２から垂下する対の脚部１０３，１０４を有し、第１の脚部１０３の根元部に内方に開口する溝状の薄肉部１０７を設け、第１の脚部１０３が弾性変形自在とさせる。
額縁材１０９は、水平な額縁部１１０と、短寸の係止部１１２と、長寸の係止部１１１とを有し、組み付け時短寸の係止部１１２が第２の脚部１０４の内側に位置しかつ長寸の係止部１１１が第１の脚部１０３の内側に位置し、長寸の係止部１１１の先端に支持部１１５を設け、この支持部１１５を薄肉部１０７と係合させる。
図９に示す例も図４乃至図７の施工例と同じようにして用い得る。
【図面の簡単な説明】
【図１】本発明による受け縁材の断面図である。
【図２】本発明による額縁材の断面図である。
【図３】受け縁材と額縁材との嵌着状態を示す断面図である。
【図４】第１の施工例を示す断面図である。
【図５】第２の施工例を示す断面図である。
【図６】本発明の第２実施例の施工例を示す断面図である。
【図７】本発明の第３実施例の施工例を示す断面図である。
【図８】本発明の第４実施例の施工例を示す断面図である。
【図９】本発明の第５実施例の廻り縁材の断面図である。
【符号の説明】
１  受け縁材
２  取付部
３，４  脚部
５  目盛り部
６，８，１５  支持部
７  薄肉部
９  額縁材
１０  額縁部
１１，１２  係止部
１３  遮へい部
１４  屈折部
１９  下地材
２１  パネル材
【図１】
0003634213.tif 000002
【図２】
0003634213.tif 000003
【図３】
0003634213.tif 000004
【図４】
0003634213.tif 000005
【図５】
0003634213.tif 000006
【図６】
0003634213.tif 000007
【図７】
0003634213.tif 000008
【図８】
0003634213.tif 000009
【図９】
0003634213.tif 000010